(57)【特許請求の範囲】
【請求項１】
リールの構成部品を収容するリール本体と、該リール本体内に釣糸をスプールに巻回する駆動機構を設けた魚釣用リールにおいて、
前記駆動機構の回転で回転される回転軸の外周に非円形状の回り止め部と円形状の支持部を形成すると共に、前記円形状の支持部に円周溝を形成し、
前記回転軸に回り止め嵌合される歯車に、中心孔と、前記回転軸の軸方向に伸長しかつ軸受を介して前記リール本体に軸承される円筒部とを形成すると共に、前記中心孔の一側内部に前記回転軸の非円形状の回り止め部が嵌合される凹部からなる嵌合部を形成し、
前記歯車の中心孔に、前記回転軸の円形状の支持部と非円形状の回り止め部を嵌合させると共に、前記回転軸の円形状の支持部に形成された円周溝と前記歯車の中心孔との間に弾性部材を介在させて嵌合部のガタを防止したことを特徴とする魚釣用リール。
【発明の詳細な説明】
【０００１】
【発明の属する技術分野】
この発明は、リ−ル本体内に設けた駆動機構の回転で回転される回転軸と歯車の回り止め嵌合部のガタを防止するように改善した魚釣用リ−ルに関する。
【０００２】
【従来の技術】
従来、魚釣用リ−ルは、リ−ル本体内部に巻き取り駆動機構やオシレ−ト機構を収容しており、該巻き取り駆動機構及び該オシレ−ト機構へは、リ−ル本体に回転可能に取り付けられたハンドルの回転駆動力が歯車列を介して動力伝達されている。歯車は通常、軸に回り止め嵌合されており、その構成は、軸にスリ割り等の非円形部を形成し、同様に形状の孔を歯車に加工して双方を嵌合させることで行なう構成であるが、この場合、非円形部にガタを生じ易く、又、軸と歯車の芯出しが難しい為、歯車が偏芯することが有り、早急な改善が望まれていた。
【０００３】
前記の不具合を解消するべく、例えば、特開平９−３１３０７９号公報には、歯車に円形の孔を形成すると共に、非円形部を形成し、軸部の円形部と歯車の円形部とで芯出しを行いながら、軸部の非円形部に係合した突起を有するプレ−トに歯車の非円形部を係合させることで芯出しの精度を上げながら回り止めする技術が記載されている。しかし、前記公報の構成は、芯出しの精度は向上するが、歯車と軸の回り止めを別部材を介して行っている為、ラジアルガタが大きく、又、スラスト方向のガタを押えることが出来ない為、通常巻取り時に異音や振動を発生させてしまう。更に、部品点数が多く組み込み難い為、製造・組立コストが嵩み、リ−ルが高価となってしまう。
【０００４】
【発明が解決しようとする課題】
解決しようとする問題点は、軸にスリ割り等の非円形部を形成し、同様に形状の孔を歯車に加工して双方を嵌合させることで行なうと、非円形部にガタを生じ易く、又、軸と歯車の芯出しが難しい為、歯車が偏芯することが有る。この不具合を解消するべく、歯車に円形の孔を形成すると共に、非円形部を形成し、軸部の円形部と歯車の円形部とで芯出しを行いながら、軸部の非円形部に係合した突起を有するプレ−トに歯車の非円形部を係合させることで芯出しの精度を上げながら回り止めすると、芯出しの精度は向上するが、歯車と軸の回り止めを別部材を介して行っている為、ラジアルガタが大きく、又、スラスト方向のガタを押えることが出来ない為、通常巻取り時に異音や振動を発生させてしまう。更に、部品点数が多く組み込み難い為、製造・組立コストが嵩み、リ−ルが高価となってしまうことである。
【０００５】
本発明の目的は前記欠点に鑑み、芯出しの精度が高く、部品点数が少なく、組み込み易く、異音や振動の発生を防止出来る魚釣用リ−ルを提供することである。
【０００６】
【課題を解決するための手段】
上記課題を解決するために、本発明は、リールの構成部品を収容するリール本体と、該リール本体内に釣糸をスプールに巻回する駆動機構を設けた魚釣用リールにおいて、前記駆動機構の回転で回転される回転軸の外周に非円形状の回り止め部と円形状の支持部を形成すると共に、前記円形状の支持部に円周溝を形成し、前記回転軸に回り止め嵌合される歯車に、中心孔と、前記回転軸の軸方向に伸長しかつ軸受を介して前記リール本体に軸承される円筒部とを形成すると共に、前記中心孔の一側内部に前記回転軸の非円形状の回り止め部が嵌合される凹部からなる嵌合部を形成し、前記歯車の中心孔に、前記回転軸の円形状の支持部と非円形状の回り止め部を嵌合させると共に、前記回転軸の円形状の支持部に形成された円周溝と前記歯車の中心孔との間に弾性部材を介在させて嵌合部のガタを防止したことを要旨とするものである。
【０００７】
【発明の実施の形態】
回転軸２ａの円形状の支持部ａに歯車３の円筒部３ａが嵌合されて回転軸２ａの非円形状の回り止め部ｂと歯車３の凹部からなる嵌合部３ｄ、３ｅ、３ｇで回り止めされて回転軸２ａの駆動力が歯車３に伝達されるから、公知技術と比較して、部品点数が少なく、組み込み易いので、製造コスト及び組立コストを押さえることが出来る。又、回転軸３５の円形状の支持部ａに歯車３９の円筒部３９ａが嵌合されて回転軸３５の非円形状の回り止め部ｂと歯車３９の凹部からなる嵌合部３９ｄで回り止めされて歯車３９の駆動力が回転軸３５に伝達されるから、公知技術と比較して、部品点数が少なく、組み込み易いので、製造コスト及び組立コストを押さえることが出来る。
【０００８】
回転軸２ａの円形状の支持部ａと歯車３の円筒部３ａの間、または回転軸３５の円形状の支持部ａと歯車３９の円筒部３９ａの間にＯリングからなる弾性部材１３や弾性部材３１を、嵌合部３ｇと非円形状の回り止め部ｂの間にＯリングからなる弾性部材３２を介在させることで、回転軸２ａと歯車３の嵌合部、または回転軸３５と歯車３９の嵌合部のガタ付きが減り、特に軽負荷時においてガタをゼロとすることが出来るので、通常巻取り時の振動や異音を防止出来る。
【０００９】
【実施例】
以下、図示の実施例によって本発明を説明すると、図１から図４は第１実施例で魚釣用リ−ルを魚釣用スピニングリ−ルで述べると、図１は魚釣用スピニングリ−ルの要部断面平面図、図２は魚釣用スピニングリ−ルの要部拡大断面平面図、図３は回転軸と歯車の分解拡大断面平面図、図４は回転軸と歯車の分解斜視図である。
【００１０】
魚釣用スピニングリ−ルは、リ−ル本体１の一側開口が蓋体１０で閉塞され、蓋体１０はリ−ル本体１に形成された図示しないビスで取り付けられている。リ−ル本体１に取り付けられた防水軸受１１に回転体２の回転軸２ａ他側外周が歯車３の円筒部３ａを介して軸承され、蓋体１０に取り付けられた防水軸受１２で回転体２の回転軸２ａの一側外周が軸承されている。回転軸２ａの外周一側には駆動歯車２ｂが一体に形成され、回転軸２ａの外周他側に鍔部２ｃと切欠き２ｄで非円形状の回り止め部ｂと円形状の支持部ａと周溝２ｅが形成されている。周溝２ｅにはＯリングからなる弾性部材１３が嵌められている。非円形状の回り止め部ｂと円形状の支持部ａに歯車３が嵌合されて回り止めされている。
【００１１】
歯車３には円筒部３ａと歯部３ｂと中心孔３ｃが形成され、中心孔３ｃの一側内部に非円形状の回り止め部ｂが嵌合される凹部からなる嵌合部３ｄが形成されている。
【００１２】
回転軸２ａは図２で、右側の端部から左側に向けて雌ネジ穴２ｆとバカ穴２ｇと雌ネジ穴２ｈとバカ穴２ｊが形成されている。雌ネジ穴２ｆにはハンドル軸４の雄ネジ４ａが螺合される。この時ハンドル軸４の雄ネジ４ｂはバカ穴２ｇの中に挿入されている。ハンドル軸４の左右交換で雄ネジ４ｂが雌ネジ穴２ｈに螺合される時は、雄ネジ４ａはバカ穴２ｉの中に挿入される。ハンドル軸４にはハンドル１４が折り畳み可能に連結されている。
【００１３】
リ−ル本体１の前部には防水軸受１５で回転軸筒５が回転自在に軸受されると共に前側に突出されている。軸受１５より前側の回転軸筒５の外周に逆転防止爪車１６とロ−タ６の中心軸筒６ａが嵌合されてナット１７で固定されている。回転軸筒５の基端５ａは軸受部１ａの透孔１ｂで回転自在に軸承され、基端５ａの前側に一体的に形成されたピニオン５ｂに駆動歯車２ｂが噛合されてロ−タ６はハンドル１４の回転に連動して回転されるように支持されている。回転軸筒５の中心孔５ｃには先端にスプ−ル１８が取り付けられたスプ−ル軸７が前後往復動可能に摺動自在に挿入され、スプ−ル軸７の後端の回り止め部７ａに摺動体８がビス１９で取り付けられている。
【００１４】
ロ−タ６は中心軸筒６ａで回転軸筒５に取り付けられ、中心軸筒６ａと前壁６ｂと大径の筒部６ｃと大径の筒部６ｃの基部６ｄ、６ｅの外周から前方に向けて突出された一対の支持腕６ｆ、６ｇとで形成されている。一対のベ−ル支持腕６ｆ、６ｇの先端部外側に一方のベ−ル支持部材２０と他方のベ−ル支持部材２１がビス２２、２３で釣糸巻取位置と釣糸放出位置に反転自在に軸承されている。一方のベ−ル支持部材２０には釣糸案内ロ−ラ２４の取付部２５が取り付けられている。他方のベ−ル支持部材２１と釣糸案内ロ−ラ２４の取付部２５の間にベ−ル２６が取り付けられている。スプ−ル１８に巻回された釣糸２７は釣糸案内ロ−ラ２４で案内されて引き出される。
【００１５】
摺動体８は板状の本体部８ａと突出部８ｂとで形成されている。本体部８ａには縦方向の係合溝８ｃが形成され、突出部８ｂに横向きの回り止め透孔８ｄが形成されている。更に突出部８ｂには回り止め透孔８ｄと直交するビス孔８ｅが形成されてビス１９が挿入されている。摺動体８はリ−ル本体１の前後方向に設けた図示しない軸杆によってスプ−ル軸７に対する回転方向の動きの規制を図りながら前後方向に移動案内可能に設けられている。摺動体８と連動歯車９の対向面は互いに接触しないように間隙が形成されて摺動体８を前後方向に移動案内している。
【００１６】
リ−ル本体１内の側壁面に軸筒からなる支持部１ｃが形成されて支持部１ｃに連動歯車９が転がり軸受２８を介して軸承されると共に、側壁面に形成されたリブからなる環状の台部１ｄ上に載せられている。連動歯車９は平歯車状に形成されて外周に歯部９ａが形成され、中心に軸孔９ｂが形成されて一側面の偏心位置に係合突部９ｃが形成されている。連動歯車９の中心の軸孔９ｂに転がり軸受２８が挿入されて転がり軸受２８はリ−ル本体１内の軸筒からなる支持部１ｃに螺合されたビス２９で抜け止めされている。連動歯車９の係合突部９ｃは摺動体８の係合溝８ｃに挿入されている。連動歯車９は回転軸２ａ外周に回り止め嵌合された歯車３に噛合されている。第１実施例では、歯車３と連動歯車９と摺動体８でスプ−ル１８とスプ−ル軸７が前後往復動可能のオシレ−ト機構が構成されている。
【００１７】
スプ−ル１８は、釣糸２７が巻回される外周の釣糸巻回胴部１８ａと、前側の鍔部１８ｂと、後側の大径の筒部１８ｃとで形成されている。
【００１８】
魚釣用スピニングリ−ルの動作は、一方のベ−ル支持部材２０と他方のベ−ル支持部材２１が釣糸巻取位置にあって釣糸２７がスプ−ル１８に巻回される方向にハンドル１４が回転されると、駆動歯車２ｂが回転されてピニオン５ｂを介して回転軸筒５が回転され、ロ−タ６が回転される。駆動歯車２ｂが回転されると、回転軸２ａが回転されて歯車３が回転され、連動歯車９が回転される。連動歯車９の回転で摺動体８が係合突部９ｃで直線往復動されてスプ−ル軸７とスプ−ル１８が直線往復動され、一方のベ−ル支持部材２０に設けられた釣糸案内ロ−ラ２４で釣糸２７が案内されて前後に往復動されるスプ−ル１８に平行に巻回される。即ち連動歯車９の回転運動で摺動体８とスプ−ル軸７とスプ−ル１８が直線往復運動に変換される。
【００１９】
回転体２の回転で駆動力が伝達される歯車３は、回転体２の回転軸２ａの円形状の支持部ａに歯車３の円筒部３ａが嵌合されてＯリングからなる弾性部材１３が介在され、回転軸２ａの非円形状の回り止め部ｂと歯車３の凹部からなる嵌合部３ｄで回り止めされて回転軸２ａの駆動力が歯車３に伝達される。
【００２０】
前記のように魚釣用リ−ルが構成されると、回転体２の回転軸２ａの円形状の支持部ａに歯車３の円筒部３ａが嵌合されて回転軸２ａの非円形状の回り止め部ｂと歯車３の凹部からなる嵌合部３ｄで回り止めされて回転軸２ａの駆動力が歯車３に伝達されるから、公知技術と比較して、部品点数が少なく、組み込み易いので、製造コスト及び組立コストを押さえることが出来る。回転体２の回転軸２ａの円形状の支持部ａと歯車３の円筒部３ａの間にＯリングからなる弾性部材１３を介在させることで、回転軸２ａと歯車３の嵌合部のガタ付きが減り、特に軽負荷時においてガタをゼロとすることが出来るので、通常巻取り時の振動や異音を防止出来る。
【００２１】
歯車３の円筒部３ａの中に回転体２の回転軸２ａを嵌合し、円筒部３ａを軸受１１に軸承して歯車３を直接回転支持するので、歯車３の傾きによる噛み合い不良を解消出来、歯面の偏摩耗を防ぐこととなり、異音及び振動を防止し且つ耐久性が著しく向上する。回転体２の回転軸２ａの円形状の支持部ａと歯車３の円筒部３ａの間にＯリングからなる弾性部材１３を介在させることで、異音及び振動を防止し且つ耐久性を向上させると同時に、回転軸２ａと歯車３間からの水の浸入を阻止出来るので、高耐久性且つ高い防水性を備えたリ−ルを提供することが可能となる。
【００２２】
回転軸２ａの非円形状の回り止め部ｂと歯車３の凹部からなる嵌合部３ｄで回り止めを行い、回転軸２ａの円形状の支持部ａと歯車３の円筒部３ａで芯出しと軸支を行うので、歯車３の支持精度が高くなり、且つ、円形状の支持部ａに弾性部材１３を介在させることで弾性部材１３の保持溝を形成し易くなり、加工が簡単となる上に、歯車３と回転軸２ａとの嵌合部のガタ付きが減り、特に軽負荷においてガタをゼロとすることが出来るので、通常巻取り時の振動や異音を防止出来る。
【００２３】
図５は第２実施例で、図５は回転軸と歯車の拡大断面平面図である。
【００２４】
第２実施例では、回転体２の回転軸２ａの非円形状の回り止め部ｂをピン３０で構成し、歯車３にピン３０が嵌合可能な凹部からなる嵌合部３ｅが形成されている。他の構成は前記第１実施例と略同一である。
【００２５】
前記説明では、魚釣用リ−ルを魚釣用スピニングリ−ルで述べたが、他の形式のリ−ルの回転軸と歯車の回り止め嵌合に実施してもよい。
【００２６】
【発明の効果】
本発明によれば、回転軸の円形状の支持部に歯車の円筒部が嵌合されて回転軸の非円形状の回り止め部と歯車の凹部からなる嵌合部で回り止めされて回転軸の駆動力が歯車に伝達されるから、公知技術と比較して、部品点数が少なく、組み込み易いので、製造コスト及び組立コストを押さえることが出来ると共に、回転軸の円形状の支持部と歯車の円筒部との嵌合する間に弾性部材を介在したので、回転軸と歯車の嵌合部のガタ付きが減り、特に軽負荷時においてガタをゼロとすることが出来るので、通常巻取り時の振動や異音を防止出来る。
【図面の簡単な説明】
【図１】第１実施例で、魚釣用スピニングリ−ルの要部断面平面図である。
【図２】同魚釣用スピニングリ−ルの要部拡大断面平面図である。
【図３】同回転軸と歯車の分解拡大断面平面図である。
【図４】同回転軸と歯車の分解斜視図である。
【図５】第２実施例で、回転軸と歯車の拡大断面平面図である。
【符号の説明】
１ リ−ル本体
２ａ 回転軸
３  歯車
３ａ  円筒部
３ｄ、３ｅ  嵌合部
１３  弾性部材
ａ 円形状の支持部
ｂ 非円形状の回り止め部
【図１】
0004187911.tif 000002
【図２】
0004187911.tif 000003
【図３】
0004187911.tif 000004
【図４】
0004187911.tif 000005
【図５】
0004187911.tif 000006